(57)【要約】【課題】  パターでボールを簡単且つ確実にヘッド上に載せることができ、またボールをヘッドに載せたら容易に落下してしまうことのなく確実にボールが拾い上げられるボール掬い上げ用ゴルフパターを提供する。【解決手段】  ゴルフパター１のヘッド２のフェイス面１０後側のトウ部３とヒール部４の後方に突出させた両ウエイト部５、６を、そのウエイト部の両先端部７、８が底面レベルＧに接したゴルフボールＢをそのまま接触せずに通過しうる幅を確保しつつ可及的に狭い幅Ｌに対向させて形成する。  そして、前記ウエイト部５、６の両先端部７、８までの内側に、前記先端部７、８間の幅Ｌよりも広くし、且つゴルフボールＢを載せた時に落下しない幅ＷとするとともにゴルフボールＢの最下端部が該ウエイト部５、６の底面レベルＧよりも下になるような広さのホールＨを形成したボール載置部９を設ける。【選択図】    図１
2006223701.tif 000002
【特許請求の範囲】
【請求項１】
ゴルフパターのヘッドのトウ部とヒール部のフェイス面後方に突出させた両ウエイト部において、該ウエイト部の対向状態の両先端部をヘッドの底面のレベルに接したゴルフボールがそのまま接触せずに通過しうる幅を確保しつつ可及的に幅狭に形成し、該ウエイト部の両先端部までの内側に、前記先端部間よりも広く且つゴルフボールを載せた時に落下しない幅とするとともにゴルフボールの最下端部が該ウエイト部の底面レベルよりも下になるような広さのホールを形成したボール載置部を設けたことを特徴とするボール掬い上げ用ゴルフパター。
【請求項２】
ヘッドを寄せた時に、ゴルフボールが先端部間の中央側へ寄せられて確実にホールに入れられるように両ウエイト部の両先端部の外側を外開きに形成したことを特徴とする請求項１に記載のボール掬い上げ用ゴルフパター。
【請求項３】
両先端部を通過するゴルフボールの下に深く差し込めるように、両ウエイト部の両先端部の上側をヘッドの底面のレベルに対して断面鋭角に形成したことを特徴とする請求項１又は２に記載のボール掬い上げ用ゴルフパター。
【請求項４】
傾斜面上にゴルフボールが載るように、ボール載置部のホールを円形状に形成するとともに該ホール周囲の上側を底面レベルに対して断面鋭角とした傾斜面に形成したことを特徴とする請求項１乃至３のうち少なくともいずれか一項に記載のボール掬い上げ用ゴルフパター。
【請求項５】
ボール載置部のホールの周囲を、底面側が薄い段差となるように形成するとともにその段差周囲の段差壁面の上端縁をホールに落と込まれたゴルフボールに接しないような位置なるように形成したことを特徴とする請求項１乃至３のうち少なくともいずれか一項に記載のボール掬い上げ用ゴルフパター。
【発明の詳細な説明】
【技術分野】
【０００１】
本発明は、ゴルフボールを掬い上げるためのゴルフパターに関する。
【背景技術】
【０００２】
熟練者の間では立った姿勢のままでゴルフのボールをパターで掬うように拾い上げることが行われている。
しかし、通常のレベルの技術では高くて狭いパターの上に載せて正確に拾うことは難しい。
そこで、ヘッドの形状を内部がボールの直径よりも僅かに小さい寸法であるＵ字形にして、その内部にボールを若干の弾力性で変形をさせて挟んで拾えるようにしたパターが提案されている。（特許文献１を参照）。
しかし、このパターでは掬うようにして拾おうとするとヘッドのＵ字形の先端にボールが突き当たってしまいＵ字形の上に載せることが難しく、さらに一旦載せることができても、パターを移動させたり傾けたりすると簡単に落下してしまう難点があった。
【特許文献１】特開平０７−２５５８８６号公報
【発明の開示】
【発明が解決しようとする課題】
【０００３】
本発明は、上記実情に鑑み、パターでボールを拾う場合、掬うようにして簡単且つ確実にヘッド上にボールを載せることができて、またボールをヘッドに載せたら容易に落下してしまうことのなく確実に拾い上げることができるパターを提供するものである。
【課題を解決するための手段】
【０００４】
上記課題を解決するために、本発明の請求項１に記載のボール掬い上げ用ゴルフパターは、ルフパターのヘッドのトウ部とヒール部のフェイス面後方に突出させた両ウエイト部において、該ウエイト部の対向状態の両先端部を底面レベルに接したゴルフボールがそのまま接触せずに通過しうる幅を確保しつつ可及的に幅狭に形成する。
そして、該ウエイト部の両先端部までの内側に、前記先端部間よりも広く且つゴルフボールを載せた時に落下しない幅とするとともにゴルフボールの最下端部が該ウエイト部の底面レベルよりも下になるような広さのホールを形成したボール載置部を設けたことを特徴とするものである。
【０００５】
請求項２に記載の発明は、上記請求項１に記載の発明の構成において、ヘッドを寄せた時に、ゴルフボールが先端部間の中央側へ寄せられて確実にホールに入れられるように両ウエイト部の両先端部の外側を外開きに形成したことを特徴とするものである。
【０００６】
請求項３に記載の発明は、上記請求項１又２に記載の発明の構成において、両先端部を通過するゴルフボールの下に深く差し込めるように、両ウエイト部の両先端部の上側をヘッドの底面のレベルに対して断面鋭角に形成したことを特徴とするものである。
【０００７】
請求項４に記載の発明は、上記請求項１乃至３のうち少なくともいずれか一項に記載の発明の構成において、傾斜面上にゴルフボールが載るように、ボール載置部のホールを円形状に形成するとともに該ホール周囲の上側を底面レベルに対して断面鋭角とした傾斜面に形成したことを特徴とするものである。
【０００８】
請求項５に記載の発明は、上記請求項１乃至３のうち少なくともいずれか一項に記載の発明の構成において、ボール載置部のホール周囲を、底面側が薄い段差とするとともにその段差周囲の段差壁面の上端縁をホールに落と込まれたゴルフボールに接しないように形成したことを特徴とするものである。
【発明の効果】
【０００９】
本発明は上記構成であり、ゴルフボールを掬おうとするときにゴルフボールを先へ押しやってしまうことがなく、ゴルフボールがヘッドの両ウエイト部の先端部間に接触せずに、また接触しても先端部間の中央に寄せられて確実にボール載置部内に通過させることができるので、特別な練習をしなくてもだれでもが簡単且つ確実にそのボールをヘッド上に載せることができるようになった。
さらに、ゴルフボールを一旦前記ボール載置部に載せたら、ホール内に安定的に落とし込まれた状態となるのでパターを振っても又傾けても容易に落下することなく確実にボールを拾い上げることが可能となった。
【発明を実施するための最良の形態】
【００１０】
本発明のボール掬い上げ用ゴルフパターの形態について以下詳しく説明する。
本発明は、図１に示すように、ゴルフパター１のヘッド２のトウ部３とヒール部４のフェイス面１０の後側にウエイト部５、６を突設してフェイス面１０に広いスイートスポットが形成されるようにする。
その両ウエイト部５、６の両先端部７、８を、図２及び３に示すように、ヘッド２の底面のレベルＧに接したゴルフボールＢがそのまま接触せずに通過しうる幅を確保しつつ可及的に狭い幅Ｌに形成し程度に狭く対向させて形成する。
この接触せずに通過しうる幅Ｌは、より狭くしようとする場合、底面側が薄くなった幅広な段差を形成したような場合にはゴルフボールＢの下に深く差し込めるが、両先端部７、８の上側７ｂ、８ｂに厚みがある場合には、その上側縁がゴルフボールＢに当たってしまうのであまり間隔を狭めることができない。
そのため、図３に示すように、両ウエイト部５、６の両先端部７、８の上側７ｂ、８ｂを、ヘッド２の底面のレベルＧに対して断面鋭角に形成し、両先端部７、８をゴルフボールＢの下に深く差し込めるようにする。
【００１１】
また、パターのヘッドは手元から離れているのでゴルフボールＢの位置と先端部７、８間の中央とを正確に合わせるの難しいので、ヘッド２をゴルフボールＢに向けて移動した時に両先端部７、８の隙間中央から外れたゴルフボールＢが多少ずれても中央に寄せられるように、両ウエイト部５、６の両先端部７、８の外側を、図２に示すように、外開きに形成する。こうすると、この外開き部分に接触したゴルフボールＢは先端部７、８間の中央へ寄せられて、確実にホールＨに入れられようになる。
【００１２】
そして、図２に示すように、該ウエイト部５、６の両先端部７、８までの内側を、前記先端部７、８間の幅Ｌよりも広くし、且つゴルフボールＢを載せた時に落下しない幅Ｗとするとともに、図５に示すように、ゴルフボールＢの最下端部ｈが該ウエイト部５、６のヘッド２底面のレベルＧよりも低い位置に落とされた状態（図４及び図５中のゴルフボールｂで示す）で載置される幅Ｗと奥行きを有する広さのホールＨを形成したボール載置部９を設ける。
【００１３】
前記ボール載置部９のホールＨは、図２に示すように、ほぼ円形状に形成するとともに、該ホールＨ周囲の上側９ｂをヘッド２の底面のレベルＧに対して断面鋭角とした傾斜面に形成し、その傾斜面上にゴルフボールＢが載って、ゴルフボールＢの最下端部ｈがヘッド２の底面のレベルＧより下に落とし載せられるようにする。ボール載置部９をこのようにすれば、ゴルフボールＢをより安定させた状態でヘッド２上に載せることが可能となる。
【００１４】
また前記ボール載置部９は、ウエイト部５、６のウエイトバランスを考慮しつつ安定させた状態でヘッド上に載せることができるように、図６及び図７に示すように、そのホールＨ周囲を底面９ａ側が薄い段差面９ｃとするとともにその段差周囲の段差壁面９ｄの上端縁をホールＨに落と込まれたゴルフボールＢに接しないように形成することもできる。
この形態でも、その段差面９ｃの縁上にゴルフボールＢが載って、ゴルフボールＢの最下端部ｈをヘッド２の底面のレベルＧより下に落として載せられるようにする。
この場合の上記のような微妙な傾斜面の形成は不要となるため形状の設計が容易で加工性も良くなる利点がある。
【００１５】
なお、前記ボール載置部９は、ゴルフボールＢがヘッド上から落ちないように載れば良いので、ホールＨの形状を、図８の（イ）に示す円形や、（ロ）に示す三角形、（ハ）に示す四角形、（ニ）に示す突起がある態様など各種の形状にすることが可能である。
【図面の簡単な説明】
【００１６】
【図１】ゴルフパターのヘッド部分の斜視図。
【図２】ヘッド部分の平面図。
【図３】ヘッド部分の側面図。
【図４】ヘッドの後方から見た縦断側面図。
【図５】ヘッドのトウ部側から見た縦断側面図。
【図６】別形態のゴルフパターのヘッド部分の斜視図。
【図７】ヘッドの後方から見た縦断側面図。
【図８】ボール載置部のホールが（イ）が円形の、（ロ）が三角形の、（ハ）が四角形の、（ニ）が突起を有する態様を示す各平面図。
【符号の説明】
【００１７】
１    ゴルフパター
２    ヘッド
３    トウ部
４    ヒール部
５    トウ側のウエイト部
６    ヒール側のウエイト部
７    トウ側の先端部
７ａ  トウ側の先端部の底面
７ｂ  トウ側の先端部の上面
８    ヒール側の先端部
８ａ  ヒール側の先端部の底面
８ｂ  ヒール側の先端部の上面
９    ボール載置部
９ａ  ボール載置部の底面
９ｂ  ボール載置部の上面
９ｃ  ボール載置部の段差面
９ｄ  ボール載置部の段差壁面
１０    ヘッドのフェイス面
Ｂ    ゴルフボール
ｈ    ゴルフボールの最下端部
Ｈ    ホール
Ｗ    ホールの幅
Ｌ    先端部間の幅
Ｇ    ヘッドの底面のレベル
【図１】
2006223701.tif 000003
【図２】
2006223701.tif 000004
【図３】
2006223701.tif 000005
【図４】
2006223701.tif 000006
【図５】
2006223701.tif 000007
【図６】
2006223701.tif 000008
【図７】
2006223701.tif 000009
【図８】
2006223701.tif 000010
【手続補正書】
【提出日】平成17年12月20日(2005.12.20)
【手続補正１】
【補正対象書類名】特許請求の範囲
【補正対象項目名】請求項１
【補正方法】変更
【補正の内容】
【請求項１】
ゴルフパターのヘッドのトウ部とヒール部のフェイス面後方に突出させた両ウエイト部において、該ウエイト部の対向状態の両先端部をヘッドの底面のレベルに接したゴルフボールがそのまま接触せずに通過しうる幅に形成し、該ウエイト部の両先端部までの内側に、前記先端部間よりも広く且つゴルフボールを載せた時に落下しない幅とするとともにゴルフボールの最下端部が該ウエイト部の底面レベルよりも下になるような広さのホールを形成したボール載置部を設けたことを特徴とするボール掬い上げ用ゴルフパター。
【手続補正２】
【補正対象書類名】特許請求の範囲
【補正対象項目名】請求項２
【補正方法】変更
【補正の内容】
【請求項２】
ヘッドを寄せた時に、ゴルフボールが先端部間の中央側へ寄せられて確実にホールに入れられるように両ウエイト部の両先端部寄りの両先端部間よりも外側部分を、両側間の開き幅が該両先端部間幅よりもホールの外側に向って漸増する外開き形状に形成したことを特徴とする請求項１に記載のボール掬い上げ用ゴルフパター。
【手続補正３】
【補正対象書類名】特許請求の範囲
【補正対象項目名】請求項５
【補正方法】変更
【補正の内容】
【請求項５】
ボール載置部のホールの周囲の側面に、下部にはボール載置部の底面に続く水平な板状の段差をホールに向けて突設するとともに該段差の上部にはホールを囲うように該ホールに落と込まれたゴルフボールが接触しない高さの段差壁面を立設したことを特徴とする請求項１乃至３のうち少なくともいずれか一項に記載のボール掬い上げ用ゴルフパター。
【手続補正４】
【補正対象書類名】明細書
【補正対象項目名】０００４
【補正方法】変更
【補正の内容】
【０００４】
上記課題を解決するために、本発明の請求項１に記載のボール掬い上げ用ゴルフパターは、ゴルフパターのヘッドのトウ部とヒール部のフェイス面後方に突出させた両ウエイト部において、該ウエイト部の対向状態の両先端部を底面レベルに接したゴルフボールがそのまま接触せずに通過しうる幅に形成する。
そして、該ウエイト部の両先端部までの内側に、前記先端部間よりも広く且つゴルフボールを載せた時に落下しない幅とするとともにゴルフボールの最下端部が該ウエイト部の底面レベルよりも下になるような広さのホールを形成したボール載置部を設けたことを特徴とする。
【手続補正５】
【補正対象書類名】明細書
【補正対象項目名】０００５
【補正方法】変更
【補正の内容】
【０００５】
請求項２に記載の発明は、上記請求項１に記載の発明の構成において、ヘッドを寄せた時に、ゴルフボールが先端部間の中央側へ寄せられて確実にホールに入れられるように両ウエイト部の両先端部寄りの両先端部間よりも外側部分を、両側間の開き幅が該両先端部間幅よりもホールの外側に向って漸増する外開き形状に形成したことを特徴とする。
【手続補正６】
【補正対象書類名】明細書
【補正対象項目名】０００８
【補正方法】変更
【補正の内容】
【０００８】
請求項５に記載の発明は、上記請求項１乃至３のうち少なくともいずれか一項に記載の発明の構成において、ボール載置部のホールのホールの周囲の側面に、下部にはボール載置部の底面に続く水平な板状の段差をホールに向けて突設するとともに該段差の上部にはホールを囲うように該ホールに落と込まれたゴルフボールが接触しない高さの段差壁面を立設したことを特徴とする。
【手続補正７】
【補正対象書類名】明細書
【補正対象項目名】００１０
【補正方法】変更
【補正の内容】
【００１０】
本発明のボール掬い上げ用ゴルフパターの形態について以下詳しく説明する。
本発明は、図１に示すように、ゴルフパター１のヘッド２のトウ部３とヒール部４のフェイス面１０の後側にウエイト部５、６を突設してフェイス面１０に広いスイートスポットが形成されるようにする。
その両ウエイト部５、６の両先端部７、８を、図２及び３に示すように、ヘッド２の底面のレベルＧに接したゴルフボールＢがそのまま接触せずに通過しうる幅を確保しつつできるだけ狭い幅Ｌで対向するように形成する。
この接触せずに通過しうる幅Ｌは、より狭くしようとする場合、底面側が薄くなった幅広な段差を形成したような場合にはゴルフボールＢの下に深く差し込めるが、両先端部７、８の上側７ｂ、８ｂに厚みがある場合には、その上側縁がゴルフボールＢに当たってしまうのであまり間隔を狭めることができない。
そのため、図３に示すように、両ウエイト部５、６の両先端部７、８の上側７ｂ、８ｂを、ヘッド２の底面のレベルＧに対して断面鋭角に形成し、両先端部７、８をゴルフボールＢの下に深く差し込めるようにする。
【手続補正８】
【補正対象書類名】明細書
【補正対象項目名】００１１
【補正方法】変更
【補正の内容】
【００１１】
また、パターのヘッドは手元から離れているのでゴルフボールＢの位置と先端部７、８間の中央とを正確に合わせるの難しいので、ヘッド２をゴルフボールＢに向けて移動した時に両先端部７、８の隙間中央から外れたゴルフボールＢが多少ずれても中央に寄せられるように、両ウエイト部５、６の両先端部寄りの両先端部７、８間よりも外側部分を、図２に示すように、両側間の開き幅が該両先端部７、８間の幅よりもホールＨの外側に向ってハの字の形に漸増する外開き形状に形成する。こうすると、この外開き部分に接触したゴルフボールＢは先端部７、８間の中央へ寄せられて、確実にホールＨに入れられようになる。
【手続補正９】
【補正対象書類名】明細書
【補正対象項目名】００１４
【補正方法】変更
【補正の内容】
【００１４】
また前記ボール載置部９は、ウエイト部５、６のウエイトバランスを考慮しつつ安定させた状態でヘッド上に載せることができるように、図６及び図７に示すように、そのホールＨ周囲の側面を、底面に続く下部は、ゴルフボールＢを載せた時にゴルフボールＢが落下しない幅Ｗを有し且つゴルフボールＢの最下端部ｈが両ウエイト部５、６の底面レベルＧよりも下になるようにホールＨに向けて全周囲を水平に突出させた板状の段差を形成し、該段差よりも上部は、該段差の上部の段差面９ｃにホールＨを囲うように周囲に立ち上げた段差壁面９ｄを形成するとともに該段差壁面９ｄの上端縁をホールＨに落と込まれたゴルフボールＢが接触しない高さに形成することもできる。
この形態では、該段差壁面９ｄの上端縁にはゴルフボールＢが乗らずに、必ずその下の段差の突出した先端縁上にゴルフボールＢが載るので、ゴルフボールＢの最下端部ｈはヘッド２の底面のレベルＧより下に落とした安定状態にゴルフボールＢを該ホールＨに載せることができる。
この場合の上記のような微妙な傾斜面の形成は不要となるため形状の設計が容易で加工性も良くなる利点がある。